(57)【要約】【課題】水面に浮かべて水面上を照らすものであって、浮遊物や石等との衝突による破損を防ぎ得る水上照明装置を提案する。【解決手段】発光体１１が内底面に座着された装着基盤１２の、その上方が開口された口縁上に、透光板１３が乗載され、この透光板１３の上面に押圧環板１４が被着されて該透光板１３を装着基盤１２の口縁に固着してなる照明基体１０と、この照明基体１０が収納空隙３１に装着基盤１２の口縁以下で内嵌されて、照明基体１０に周設されるフロート３０とを備えたものである。この水上照明装置１は、その上方を明るく照らすことができると共に、その周囲の水面をほのかに照らすことができる。さらに、浮遊物等と衝突した場合に、フロート３０が緩衝材となり、照明基体１０の損傷を抑止でき得る。【選択図】図２
2007280686.tif 000002
【特許請求の範囲】
【請求項１】
上方が開口された有底皿状の装着基盤と、装着基盤の内底面に座着され、上方に放光する発光体と、装着基盤の口縁上に乗載して開口を閉鎖する所定板厚の透光板と、透光板の上面に被着されて、装着基盤の口縁との間で透光板を固着して、装着基盤内を水密に保持する環形の押圧環板とを具備した照明基体と、
内部に装着基盤が内嵌する収納空隙を備え、取り付け状態で上面が装着基盤の口縁以下となって、照明基体に周設されるフロートと
を具備してなる浮遊照明具を備えると共に、
装着基盤内に配設された発光体に電力を供給する電力供給手段を備えたものであることを特徴とする水上照明装置。
【請求項２】
押圧環板が、透光板の上面に被着される被着面に、その内外を連通する通水溝を備えたものである請求項１に記載の水上照明装置。
【請求項３】
装着基盤に一端が固結され、他端を沿岸に固定保持する所定長さの繋鎖索条を備えてなる請求項１又は請求項２に記載の水上照明装置。
【請求項４】
電力供給手段が、浮遊照明具と別に設けられた外部電源と、繋鎖索条に沿って付設された、外部電源と発光体とを接続する電気コードとを備えたものである請求項３に記載の水上照明装置。
【請求項５】
電力供給手段が、フロートの上面に設けられたソーラーパネルと、該ソーラーパネルと発光体とを接続する電気コードとを備えたものである請求項１乃至請求項３のいずれかに記載の水上照明装置。
【発明の詳細な説明】
【技術分野】
【０００１】
本発明は、水に浮かび、水面上を照らす水上照明装置に関するものである。
【背景技術】
【０００２】
海、川、湖、池等の水辺の観光地や、人工的な噴水や滝等のウォータディスプレイを備えたプールでは、主に夜間、ライトアップによる演出効果を得るため、観賞用の照明装置を設置するところが増えている。このような照明装置としては、陸上に設けられて水面や水面上に存在する対象物をライトアップするもの、水中に設けられて水上や水中で発光させるもの等が存在する。
【０００３】
このような観賞用の照明装置として、例えば、特許文献１のように、沿岸や水底に固定されて、ウォータディスプレイをライトアップする構成の照明装置が提案されている。かかる構成は、ウォータディスプレイを比較的強い光量で照射することができるようにしたものであるから、水より重く、沿岸や水底に固定されるようにして、配設されるものである。
【０００４】
また、水中や水面上を明るくするための照明装置として、例えば、特許文献２のように、細長い円筒状体又は中空螺旋状体からなる中空外側保護体内に、その長さ方向に沿って発光体を配設してなる構成が提案されている。この照明装置は、中空外側保護体の両端開口を、ゴムパッキン付きのキャップ等により密閉している。このような照明装置の利用法として、錘が繋がれた鎖を連結されて、浮遊深さを定めると共に位置決めされることが開示されている。さらに、複数個を連結させて水面に浮かぶようにすることが開示されている。
【特許文献１】特開２０００−１６４００５号公報
【特許文献２】特開平５−２６６７０５号公報
【発明の開示】
【発明が解決しようとする課題】
【０００５】
ところで、観賞用の照明装置にあっては、プールのように、常時ほぼ一定の水深が保たれている所だけでなく、海や河口近く等で潮位が変化したり、川や湖等のように季節や天候によって水位が変化したりするところでも利用される。観賞用の照明装置として、陸上や船上から水面上に照らし出された空間を観賞するために設けられるものにあっては、前記のように水位が変化した場合にも、ほぼ同じ光量により水面上を照らし出すことができ、常にほぼ同等の演出効果を発揮できることが求められる。
【０００６】
ところが、上述した特許文献１の照明装置にあっては、海や川等の水底に固定されて設置された場合に、水位が上昇又は下降すると、これに従って発光体の深度が変化することとなる。このため、水面上の対象物を照らす光量が変化し、常時一定の明るさで照らすことができなくなる。この照明装置は、一般的に、プール等の水深が一定の場所で、その水底に設置されるものである。また、この照明装置は、上述したように重量物であることから、設置作業や撤去作業が繁雑化するという問題もある。特に、海や川等の自然場所の水底又は沿岸に設置すると、大雨や台風などの自然災害が発生した場合に、一時的な撤去及び再設置に多大な労力と時間とを要することとなる。
【０００７】
一方、上述した特許文献２の照明装置にあっても、錘を付けて深度を定めている場合には、水位の上昇下降に従って、光量が変化するという問題を生じる。また、この照明装置を水面上に浮遊させる場合には、その中空保護体の有する浮力で浮かばせるか、又は、浮体を取り付けることとなる。ここで、浮体を取り付ける場合には、当然ながら、照明の妨害にならないようにすることが開示されており、中空保護体の両端に配設されたキャップに取り付ける構成が示されている。このような浮体の有無のいずれの場合でも、細長い形状の中空保護体が水面に露出した状態となっている。ところで、海や川や湖では、常に水の流れがあるため、これに従って流木等の浮遊物が流れてきて、水面に浮かぶ照明装置に接触することもあり得る。また、比較的強い水流や大きな波が発生すると、浮遊物が照明装置に激しく接触したり、照明装置自体が沿岸の石や岩等に接触したりすることもあり得る。このような場合に、この照明装置は、全体として中空保護体が水面に露出していることから、この中空保護体と浮遊物や石等が接触し易く、この接触により、中空保護体が破損し易い。そして、この破損したところから内部に浸水すると、照明装置として使用できなくなってしまう。このような破損が、仮に、観光地の特定行事中に発生すると、大きなイメージダウンともなりかねない。すなわち、この構成の照明装置は、観賞用として充分な耐久性を有していないという問題があった。
【０００８】
本発明は、海や川や湖等に水面に浮かべて、水面上を照らすものであって、詳細には、浮遊物や石等との衝突による破損を抑制でき得る水上照明装置を提案するものである。
【課題を解決するための手段】
【０００９】
本発明は、上方が開口された有底皿状の装着基盤と、装着基盤の内底面に座着され、上方に放光する発光体と、装着基盤の口縁上に乗載して開口を閉鎖する所定板厚の透光板と、透光板の上面に被着されて、装着基盤の口縁との間で透光板を固着して、装着基盤内を水密に保持する環形の押圧環板とを具備した照明基体と、内部に装着基盤が内嵌する収納空隙を備え、取り付け状態で上面が装着基盤の口縁以下となって、照明基体に周設されるフロートとを具備してなる浮遊照明具を備えると共に、装着基盤内に配設された発光体に電力を供給する電力供給手段を備えたものであることを特徴とする水上照明装置である。
【００１０】
かかる構成にあっては、浮遊照明具がそのフロートにより水面に浮かび、照明基体の内部に設けられた発光体により、水面上を照らすことができるようにしたものである。このように水面に浮かばせる照明であるから、水位が変化しても、同様に水面上を照らすことができるのである。ここで、発光体から上方に発せられた光は、主に透光板を通過して透光板の上方に放射されると共に、透光板により屈折した光の一部が透光板の外周端からも放射される。この透光板の外周端は露出されていることから、透光板の外周端から放射された光は、その周囲に照らす。すなわち、発光体の発光により、上方を明るく照らすと共に、周囲の水面を薄明るく照らすことができる。そして、このような明るさのバランスによって生成される光空間によって、水面上の暗がりに、幻想的な雰囲気や情趣に富んだ雰囲気を演出できる。
【００１１】
透光板は、使用環境に応じて、透光率や色等を適宜設定することができ、所望の色調や色彩の光を放射することができる。すなわち、発光体を変えることなく、透光板を変更することによって、様々な光を放射することが可能であり、そして、この変更は、押圧環板を脱着することにより、容易かつ低コストで実施でき得る。そのため、透光率や色の異なる透光板を複数種類用意し、所定時期（例えば、季節）毎に透光板を取り替えることによって、随時、周囲の環境に適した光の演出ができるのである。
【００１２】
また、本構成にあっては、照明基体にフロートが周設されたものであるから、浮遊物が衝突したり、岸辺の岩や石に衝突した場合に、フロートと直接衝突する。このため、照明基体に浮遊物等が直接衝突することを防止できると共に、照明基体への衝撃を緩和することができる。これにより、照明基体の破損や故障の発生を抑止することができ、観賞用としての優れた耐久性を発揮でき得る。尚、本構成は、そのフロートによって浮かぶものであるから、全体として比較的軽量であり、大雨や台風等の自然災害が発生した場合に、一時的に水上から撤去したり、その後に再設置する作業を比較的容易かつ短時間で実施できるという利点も有している。
【００１３】
本構成にあって、装着基盤としては、平底部と、該平底部の周囲から起立した周壁部とからなるシャーレ形のものが好適に用いられる。また、装着基盤の材料としては、軽量化のために比重の小さいもの、耐久性や耐衝撃性に優れたものが好ましい。さらには、発光体が発光することによって生ずる熱量を外部に効率良く発散できるように、伝熱性に優れた材料が好ましい。これらのことを考慮すると、装着基盤は、アルミニウム合金等の軽金属材料からなるものが好適である。
【００１４】
また、発光体としては、電球や発光ダイオード（以下、ＬＥＤ）等を用いることができ、特に、消費電力が小さく、かつ耐久性に優れたＬＥＤが好適に用い得る。さらにまた、フロートとしては、浮遊照明具を水面に浮かばせた状態で維持可能な浮力を有するものであり、この浮力を有する形態及び材料により設定される。ここで、フロートの形態としては、円盤や角盤などの盤形が好ましい。このフロートの材料としては、プラスチック、ゴム、発泡スチロール等を用いることができ、特に耐衝撃性に優れた発泡ウレタンが好適に用い得る。
【００１５】
また、電力供給手段としては、照明基体内に電源を配設して、この電源と発光体を接続するようにした構成や、照明基体の外側又はフロートに電源を配設して、この電源と発光体を接続するようにした構成などとすることができる。さらには、外部電源と接続するための電気コードを備えた構成とすることも可能である。このように、電力供給手段にあっては、電源と、電源から発光体へ電力を送電する電気コード等の送電手段とを備えたものである。
【００１６】
上述した水上照明装置にあって、押圧環板が、透光板の上面に被着される被着面に、その内外を連通する通水溝を備えた構成が提案される。
【００１７】
ここで、本発明の照明基体は、透光板上に押圧環板を被着して、透光板を押圧環板と装着基盤とにより固着するものであるから、透光板上には押圧環板で囲まれた領域が存在する。この領域に水が侵入して貯留すると、その水の影響で透過率が変わったり、透光板の内外の温度差が大きくなって、透光板が曇ってしまうこともある。これによって、上方を照らす明さが鈍ることともなり得る。
【００１８】
このような明さの鈍化を防ぐことを目的として、かかる構成は、押圧環板に囲まれた領域に侵入した水を排水可能とする通水溝を備えたものである。これにより、透光板上に水が溜まることを防ぎ、上方を照らす光の明るさをほぼ一定に保つことができるようにしている。
【００１９】
尚、通水溝としては、排水効率を高めるため、押圧環板の内周縁と外周縁とを短距離かつ直線的に連通する形態とすることが好ましい。また、この通水溝を一個設けた構成、複数設けた構成のいずれでも良い。ここで、通水溝の配設数は、排水効率を考慮すれば、複数個とすることが好ましく、その場合には、ほぼ等間隔で配設することが好適である。
【００２０】
上述した水上照明装置にあって、装着基盤に一端が固結され、他端を沿岸に固定保持する所定長さの繋鎖索条を備えてなる構成が提案される。
【００２１】
かかる構成にあっては、繋鎖索条によって、水面に浮かぶ照明基体とフロートとからなる水上照明装置の本体（以下、浮遊具本体）を、沿岸に係留し、繋鎖索条の長さに応じて浮遊範囲を制限するようにしたものである。そして、繋鎖索条により係留されていても、この繋鎖索条の長さ範囲内で、水位の変化に従って、浮遊具本体は、その水面に浮かんだ状態に保たれる。また、繋鎖索条を引張ることで、浮遊具本体を引き寄せることもできるため、比較的容易に水上から退避させることが可能である。このため、故障した場合やメンテナンスを実施する場合、又は大雨や台風等の災害時等に、陸上に退避させる作業を容易かつ短時間に実行可能である。尚、この繋鎖索条としては、金属又は樹脂製の鎖、ロープ等を用いることができる。
【００２２】
ここで、電力供給手段が、浮遊照明具と別に設けられた外部電源と、繋鎖索条に沿って付設された、外部電源と発光体とを接続する電気コードを備えたものである構成が提案される。
【００２３】
かかる構成は、発光体の電力を得るための外部電源を設けると共に、この外部電源から供給するための電気コードを配設したものである。外部電源から電力を得るものとしたことにより、発光体を安定して発光させることができると共に、電力量の調整を行い易く、適正な光量に容易に制御可能である。また、電気コードが繋鎖索条に付設することにより、浮遊具本体が沿岸から離れるように浮遊した場合等に生じる張力を、繋鎖索条に確実に作用させ、電気コードに作用させないようにしている。これにより、電気コードの破損や、外部電源から外れてしまうことを防ぎ得る。尚、電気コードは、繋鎖索条に絡み付けるように付設されるものとしたり、所定長さ毎に、繋鎖索条にワイヤ等で結合されるもの等とすることができる。
【００２４】
上述した水上照明装置にあって、電力供給手段が、フロートの上面に設けられたソーラーパネルと、該ソーラーパネルと発光体とを接続する電気コードとを備えた構成が提案される。
【００２５】
かかる構成にあっては、発光体に供給する電力をソーラーパネルにより発生させるようにしたものである。これにより、浮遊照明具だけで電力を賄うことができるため、上記したように外部電源を用いる構成に比して、長尺な電気コードを必要とせず、かつ、電気コードが破損し難いという利点を有する。また、蓄電池を用いる場合のように、比較的短期間隔での定期的な電池交換を行う作業を要しないという利点もある。
【００２６】
尚、この構成では、ソーラーパネルが、その上面を、照明基体を取り付けた状態で装着基盤の口縁以下となるように、フロート上面に配設されるものとする。これにより、透光板の外周端を露出でき、この外周端から放射された光によって周囲の水面を照らし出すという本発明の作用効果が発揮されるようにする。
【発明の効果】
【００２７】
本発明の水上照明装置は、上述したように、発光する発光体が内底面に座着された装着基盤の、その上方が開口された口縁上に、透光板が乗載され、さらにこの透光板の上面に押圧環板が被着されて、該透光板が装着基盤の口縁に固着されてなる照明基体と、照明基体を収納空隙に装着基盤の口縁以下で内嵌させて、照明基体に周設されたフロートとを具備する浮遊照明具、及び、発光体に電力を供給するための電力供給手段を備えたものであるから、発光体による上方への放光によって、上方を明るく照らす共に、透光板の外周端から放射される光により周囲の水面をほのかに照らすことができるため、このような光に照らし出される空間を効果的に演出することができる。また、透光板を、その透光率や色等の異なる種類のものに変更するだけで、様々な光の空間を生成可能であるため、周囲の環境に適した光の演出を比較的容易かつ低コストで実施でき得る。さらにまた、浮遊物が衝突したり、岩や石へ衝突した場合に、フロートが緩衝材としての働くため、照明基体の破損や故障を抑止でき、観賞用の照明装置として高い耐久性を有する。
【００２８】
上述した水上照明装置にあって、押圧環板が、透光板の上面に被着される被着面に、その内外を連通する通水溝を備えた構成では、押圧環板の内側領域に侵入した水が通水溝から排出されるため、透光板上に水が溜まることを防ぎ、上方を照らす明るさをほぼ一定に保つことができ得る。
【００２９】
上述した水上照明装置にあって、装着基盤に一端が固結され、他端を沿岸に固定保持する所定長さの繋鎖索条を備えてなる構成では、繋鎖索条によって、水上照明装置の本体（浮遊具本体）を沿岸に係留したから、浮遊範囲を制限すると共に、水量や水流が急激に増加した場合に流失することを防止できる。また、浮遊具本体を陸上に退避させる作業を容易かつ短時間で実施できる。
【００３０】
ここで、電力供給手段が、浮遊照明具と別に設けられた外部電源と、繋鎖索条に沿って付設された、外部電源と発光体とを接続する電気コードとを備えたものである構成にあっては、外部電源から安定的に供給される電力により、発光体を安定して発光させることができる。そして、浮遊具本体が浮遊するに伴って作用する張力が、電気コードに作用せず、電気コードの破損や外部電源から外れてしまうことを防止でき得る。
【００３１】
上述した水上照明装置にあって、電力供給手段が、フロートの上面に設けられたソーラーパネルと、該ソーラーパネルと発光体とを接続する電気コードとを備えてなる構成では、浮遊照明具自体でその発光体の電力を賄うことができると共に、比較的短期間隔となる定期的な電源の交換作業を必要としない。
【発明を実施するための最良の形態】
【００３２】
本発明の実施例を添付図面を用いて説明する。
水上照明装置１は、図４のように、水面に浮かぶ浮遊照明具２と、この浮遊照明具２を沿岸に係留するための繋鎖索条３とを備えてなるものである。ここで、浮遊照明具２は、図１〜図３のように、発光体１１を内設した照明基体１０と、該照明基体１０に周設されたフロート３０とからなる。さらに、水上照明装置１は、陸上に配設された外部電源８（図４参照）と、この外部電源８から照明基体１０に設けられた発光体１１に電力を供給するための電気コード５とを備えている。
【００３３】
浮遊照明具２の照明基体１０は、図１〜図３のように、有底皿状の装着基盤１２と、複数の発光体１１と、所定板厚の透光板１３と、透光板１３の上面に被着される押厚環板１４とを備えたものである。
【００３４】
上記した装着基盤１２は、円板形の平底部１２ａと平底部１２ａの外周から起立する周壁部１２ｂとからなる断面コ字形状となっている。すなわち、装着基盤１２は、その上方が開口されており、その周壁部１２ｂにより開口１２ｃが形成されたものである。そして、この開口１２ｃを形成した周壁部１２ｂの上端面は、面一となっている。この周壁部１２ｂの上端面には、その周方向でほぼ均等間隔となる四箇所に、夫々螺子穴２２が形成されている。また、装着基盤１２の平底部１２ａには、上下方向に貫通された貫通孔１９が形成されている。この貫通孔１９は、上記した電気コード５を挿通させるためのものであり、詳しくは後述する。さらに、平底部１２ａの裏面側には、そのほぼ中心に、上記した繋鎖索条３を螺合する索用螺子穴１８が形成されている。
【００３５】
尚、本実施例にあっては、装着基盤１２をアルミニウム合金の鋳造により成形している。アルミニウム合金は、比重が比較的小さく、耐久性や耐衝撃性に優れ、熱伝導率に優れたものである。そのため、装着基盤１２は、軽量なものとなり、浮遊物などの衝突にも強く、発光体１１が発光して生ずる熱を外部に放熱する作用にも優れたものとなっている。
【００３６】
上記した装着基盤１２には、その平底部１２ａの上面（いわゆる、内底面）に、支持基板１６が支持固定されている。この支持基板１６には、複数の発光体１１が、主に上方へ向いた状態で固結されていると共に、各発光体１１を並列に接続する回路（図示省略）が形成されている。尚、本実施例にあっては、発光体１１に、耐久性に優れ、かつ消費電力の小さいＬＥＤを用いている。
【００３７】
また、このような装着基盤１２の周壁部１２ｂの上端面には、上記した透光板１３が乗載される。この透光板１３は、円板形を成し、その外径が装着基盤１２の周壁部１２ｂの外径とほぼ同径となっており、周壁部１２ｂの上端面に乗載されて、装着基盤１２の開口１２ｃを閉鎖するものである。そして、装着基盤１２に配設された発光体１１から放光された光が、透光板１３を通過するのである。
【００３８】
ここで、透光板１３に入射した光は、屈折し、そのほとんどが上方へ放射されるが、一部が、透光板１３の外周端から放射される。すなわち、透光板１３の外周端から放射される光によって、装着基盤１２の側方を直接的に照らすことができるのである。この透光板１３の外周端から放射される光量は、透光板１３の板厚に従うことから、上方へ放射される光と側方へ放射される光とをバランス良くするために、透光板１３の板厚が適宜設定され得る。尚、透光板１３の板厚が薄すぎれば、透光板１３の外周端から放射される光が弱くなりすぎてしまう。
【００３９】
上記した透光板１３の板厚としては、例えば、上面露出面の直径（面積）に対して、板厚（外周端の面積）を定めることにより、上方へ放射される光量と側方へ放射される光量とのバランスを好適に設定し得る。ここでは、板厚を、上面露出面の直径に対して、０．０１〜０．５倍となるようにすることが好適である。しかし、板厚の絶対値が小さければ、側方へほとんど放射されないから、板厚１ｍｍ以下ではその作用が極めて小さくなってしまう。このようなことから、本実施例にあっては、透光板１３を、外径２００ｍｍ（露出面の直径が約１６０ｍｍ）、板厚１５ｍｍのものとしている。
【００４０】
このような透光板１３には、その外周縁に、周方向にほぼ均等間隔で、板厚方向に貫通する四個の挿通孔２３が形成されている。この挿通孔２３は、透光板１３が装着基盤１２の周壁部１２ｂの上端面に乗載された場合に、周壁部１２ｂの四個の螺子穴２２と重なるようになっている。尚、この挿通孔２３は、螺子穴２２に螺合する締付け螺子２５を挿通可能とする内径に形成されている。
【００４１】
このような透光板１３は、水上照明装置１を用いる環境に応じた所望の透光率と所望の色を有する材質のものを用いている。本実施例にあっては、この透光板１３をアクリルパネルからなるものを用いている。
【００４２】
また、上述した透光板１３の上面には、押圧環板１４が被着される。この押圧環板１４は、円環形を成し、その外径と内径とがそれぞれ、装着基盤１２の周壁部１２ｂの外径と内径とほぼ等しくなっている。さらに、押圧環板１４には、その周方向にほぼ均等間隔で、板厚方向に貫通する四個の挿通孔２４が形成されている。この挿通孔２４は、押圧環板１４を透光板１３の上面に乗載した場合に、透光板１３の挿通孔２３を夫々に重なる位置に設けられている。ここで、挿通孔２４の内径は、装着基盤１２の螺子穴２２に螺合する締付け螺子２５を挿通可能とし、かつ、締付け螺子２５の頭部を挿通不能とするように設定されている。
【００４３】
この押圧環板１４が、装着基盤１２の開口１２ｃを閉鎖した透光板１３の上面に、装着基盤１２の螺子穴２２と透光板１３の挿通孔２３と押圧環板１４の挿通孔２４とそれぞれ重なるようにして、乗載される。そして、四本の締付け螺子２５が、押圧環板１４の上側から螺子穴２２に螺合されて、押圧環板１４が透光板１３の上面に被着される。これにより、透光板１３は、押圧環板１４と装着基盤１２の周壁部１２ｂの上端面とに挟圧されて固着される。これによって装着基盤１２の内部が水密となっている。このように締付け螺子２５によって装着基盤１２と透光板１３と押圧環板１４とが一体化され、照明基体１０が形成されるのである。
【００４４】
さらに、押圧環板１４には、透光板１３の上面に被着する被着面１４ａに、径方向に沿って内外に連通する通水溝２７が四箇所設けられている。この四箇所の通水溝２７は、隣り合う挿通孔２４の間のほぼ中央位置に形成されている。通水溝２７は、押圧間板１４が、透光板１３の上面に被着されている状態で、透光板１３上に侵入した水を排水可能とするために設けられたものである。
【００４５】
一方、フロート３０は、図１〜図３のように、円盤形をなし、その上面中央部に、有底状の円形穴からなる収納空隙３１が形成されている。この収納空隙３１は、上記した照明基体１０を嵌合するものであり、その深さを装着基盤１２の高さとほぼ等しくしている。これにより、収納空隙３１に照明基体１０が嵌合された状態で、収納空隙３１の穴周縁と、装着基盤１２の周壁部１２ｂの上端面とがほぼ同じ高さ位置となり、透光板１３がフロート３０の上面よりも上方となるようにしている。すなわち、浮遊照明具２では、透光板１３の外周端が側方に露出した状態となっている。
【００４６】
このフロート３０には、その収納空隙３１の底部中央に、下面へ貫通する索用孔３２が形成されている。この索用孔３２は、収納空隙３１に照明基体１０が嵌合された場合に、上述した装着基盤１２の索用螺子穴１８と重なる。さらに、収納空隙３１の底部には、照明基体１０が嵌合された場合に、上述した装着基盤１２の貫通孔１９と重なる位置に、下面へ貫通するコード用孔３３が形成されている。
【００４７】
フロート３０にあっては、その収納空隙３１に照明基体１０が嵌合されて浮遊照明具２を成した状態で、この浮遊照明具２を水面で浮遊させるために必要な浮力を有するものである。すなわち、水位が上昇又は下降した場合にも、浮遊照明具２が水面で浮遊するようになっている。ここで、本実施例にあっては、フロート３０の上面が水面上となるように、浮遊照明具２を水面に浮かべる浮力を有するように、フロート３０を設定している。
【００４８】
さらに、フロート３０は、上記したように照明基体１０の周囲に配されるものであるから、水面を流れてきた浮遊物が衝突したり、波に揺られて水辺の岩や石等に衝突することもあり得る。特に、比較的速い水流や波が生じた場合には、浮遊照明具２に、浮遊物が強く衝突したり、岩や石等と強く衝突することもあり得る。このような衝突によっても、フロート３０が、その衝撃を緩和できることから、照明基体１０が破損することを抑止し得る。尚、本実施例にあっては、フロート３０を、耐衝撃性に優れた発泡ウレタンからなるものとしている。
【００４９】
上述したように、水上照明装置１には、図４のように、浮遊照明具２と別に陸上に配設された外部電源８と、この外部電源８から、照明基体１０に設けられた発光体１１に電力を供給するための電気コード５とが配設されている。この電気コード５は、外部電源８と発光体１１とに夫々接続され、外部電源８から供給される電力を発光体１１へ送電するものである。電気コード５は、装着基盤１２の貫通孔１９を挿通し、その一端を装着基盤１２の内部側とし、この一端が上述した支持基板１６の回路に接続されている。一方、電気コード５の他端には、外部電源８と接続する接続部６が設けられている。すなわち、外部電源８に接続部６が接続されて、電気コード５を通じて電力が供給されることにより、発光体１１が発光するのである。本実施例にあっては、外部電源８を、電力量を調整できるものとしており、発光体１１の光量を制御可能としている。
【００５０】
ここで、電気コード５が挿通した貫通孔１９には、この貫通孔１９を塞ぐように、シール材（図示省略）が埋め込まれており、挿通孔２４からの浸水を防止し、装着基盤１２内の水密を保持している。また、この電気コード５は、照明本体１０がフロート３０の収納空隙３１に収納された場合に、フロート３０のコード用孔３３を通じて、フロート３０の下面から外部へ出るようになっている（図２参照）。尚、本実施例にあって、上記した外部電源８と電気コード５により、本発明にかかる電力供給手段を構成している。
【００５１】
このような水上照明装置１には、図４のように、上述した浮遊照明具２を沿岸に係留するための繋鎖索条３が取り付けられている。この繋鎖索条３は、金属製の鎖から成り、図２のように、その一端に、円環状の支持部４３が形成されており、該支持部４３の先端側に、上述した装着基盤１２の索用螺子穴１８に螺合する螺子部４１が設けられている。ここで、支持部４３は、上述したフロート３０の索用孔３２に比して大径に形成されている。そして、繋鎖索条３の螺子部４１は、照明基体１０が装着されたフロート３０の索用孔３２を通して、装着基盤１２の螺子穴２２に螺合されることによって、支持部４３がフロート３０の下面を支持し、照明基体１０とフロート３０とを一体化させるようになっている。
【００５２】
この繋鎖索条３の他端には、図４のように、沿岸に固定保持することができる係留保持部４２が設けられている。この係留保持部４２の形態は、沿岸で固定される相手方の形態に応じて適宜設定され得る。
【００５３】
このような繋鎖索条３は、その長さに従って、上述した浮遊照明具２の浮遊範囲を限定するものである。この繋鎖索条３の長さは、浮遊照明具２を浮遊させる所望の位置と沿岸との距離よりも長尺としている。繋鎖索条３は、上記したように金属製であるから、その重量により、中央部分が水中で垂れ下がった状態となる。そして、繋鎖索条３を動かせるだけの水流が生じなければ、波により水面が揺れても、浮遊照明具２も揺れるだけで、その浮遊位置はほとんど変わらない。尚、フロート３０の浮力は、浮遊照明具２を浮遊させるものであるから、水位の上昇に従って、繋鎖索条３の中央部を引き上げることが可能となっている。
【００５４】
また、繋鎖索条３には、上述した電気コード５が螺旋状に絡み付けられている。そして、電気コード５は、繋鎖索条３に、所定長さ毎にワイヤーにより結び付けられている。このように、電気コード５を繋鎖索条３に絡ませた状態で保持したことにより、浮遊照明具２が浮遊中に沿岸から遠ざかる方向へ流された場合に、浮遊照明具２を係留しておく張力が、電気コード５に作用しないようにしている。すなわち、前記張力によって、電気コード５が損傷することを防止しているのである。
【００５５】
このような水上照明装置１を配設したことについて説明する。
図４のように、浮遊照明具２を所定の水面に浮かぶように、繋鎖索条３を沿岸に係止すると共に、電気コード５を陸地に配設した外部電源８に接続する。外部電源８をオン作動することにより、浮遊照明具２の照明基体１０に配設された発光体１１に電力が供給されて発光する。ここで、発光体１１から上方へ発せられた光は、透光板１３を通じてその上方に放射されて、浮遊照明具２の上方を明るく照らすと共に、透光板１３で屈折してその外周端から側方へ放射されて、浮遊照明具２の周囲の水面をほのかに照らす。このような光による空間は、あたかも水面に浮かぶように水面上の暗がりに生成されて、幻想的な雰囲気や情緒豊かな雰囲気を演出できる。さらに、この浮遊照明具２は、水面に浮遊するものであるから、水位が上昇したり下降しても、上記した水面上を照らし出す作用効果を常に発揮し得るものである。
【００５６】
この浮遊照明具２は、水面で浮遊するものであるから、水流や波によって水面で揺れると、その光により照らし出された空間も水面上を揺れ動く。これにより、水面上に垂らし出された空間を演出する作用効果が、一層高まる。
【００５７】
この浮遊照明具２は、上述したようにフロート３０が照明基体１０の周囲に配設されてなるものであるから、浮遊物が衝突したり、岩や石などと衝突した場合にも、その衝撃により照明基体１０が損傷することを抑止できるものである。したがって、水上照明装置１は、観賞用の照明装置として充分な耐久性を有している。
【００５８】
上述したように、この浮遊照明具２の押圧環板１４は、その被着面１４ａに通水溝が設けられていることから、透光板１３上に水が侵入しても、この通水溝から排水可能であり、透光板１３上に水が溜まることを抑制している。これにより、透光板１３を通して上方に放射される光の透過率が変化することを抑制でき、その上方空間を常にほぼ同等の光によって照らし出すことができるようにしている。
【００５９】
また、上述した水上照明装置１にあって、透光板１３の色を適宜設定することにより、照らし出される空間の雰囲気を容易に変えることが可能である。この透光板１３の色は、水上照明装置１を用いる場所や、季節などに応じて設定することにより、その観賞用照明としての効果を一層際立たせることができるのである。すなわち、この透光板１３の色の設定により、水面上に照らし出される空間を、幻想的な雰囲気に演出したり、情緒豊かな雰囲気に演出する等、様々に実施可能である。尚、この透光板１３の変更は、照明基体１０の締付け螺子２５を取り外すことにより、容易に実施可能であるから、季節毎や、所定行事毎に変更する場合にも、短時間で実施できる。
【００６０】
また、上述した水上照明装置１にあっては、繋鎖索条３により沿岸に係留していることから、上記した透光板１３を取り替える場合や、故障時、メンテナンス時に、繋鎖索条３を引張ることにより、浮遊照明具２を容易に引き揚げることができる。したがって、前記作業の作業性に優れている。さらに、大雨や台風等の災害発生時には、事前に、水上照明装置１を短時間に陸上に退避させることができるという利点も有している。
【００６１】
さらにまた、本実施例にあっては、発光体１１の電力を外部電源８から供給するようにしているため、安定して電力を供給でき、光に照らし出される空間を安定的に維持できる。さらに、上述したように、外部電源８の電力量を調整可能であることから、発光体１１の光量を調整でき、適宜最適な光を放射し得る。
【００６２】
一方、上述した水上照明装置１を、図５のように、浮遊照明具２を複数連結して、沿岸に沿って並べるように浮かべることもできる。この場合、所定の浮遊照明具２に螺合した繋鎖索条３を沿岸に係止して係留させ、他の浮遊照明具２は、その繋鎖索条３’を順次一列となるように連結するのである。また、電気コード５’は、浮遊照明具２の連結数に応じて分岐して、夫々に並列接続する。このように水面に浮べた複数の浮遊照明具２は、それぞれが上述したようにその周囲の空間を照らし、かつ、波に従って、照らし出した空間が揺れ動くこととなる。尚、複数の浮遊照明具２を連結する形態としては、二列や三列としたり、環状とする等、様々に設定できる。また、繋鎖索条３を沿岸に係止する所定の浮遊照明具２に、所定個数の浮遊照明具２を連結して一グループを形成し、このグループを順次並べるようにして浮かべることも可能である。
【００６３】
さらにまた、本実施例にあっては、上述したように、発光体の電力を外部電源から供給するようにした構成であるが、その他の構成として、電源を浮遊照明具に配設した構成とすることもできる。このように浮遊照明具に配設する電源としては、ソーラーパネルや蓄電池を用いることができる。
【００６４】
例えば、図６のように、浮遊照明具５２が、そのフロート６０の上面をほぼ覆うようにソーラーパネル６２を配設し、このソーラーパネル６２から、照明基体１０に配設された発光体１１に電力を送電する電気コード５５を設けた構成とする。この構成では、フロート６０の収納空隙６１の深さが、装着基盤１２の高さよりも、ソーラーパネル６２のパネル厚だけ小さくなるように設定されている。すなわち、フロート６０に照明基体１０を取り付けた状態で、収納空隙６１の穴周縁と、フロート６０上に配設されたソーラーパネル６２の内側端縁とがほぼ同じ高さ位置となる。これにより、透光板１３の外周端が側方に露出した状態となり、上述したように、浮遊照明具２の周囲の水面をほのかに照らすという作用効果を生じ得るようになっている。
【００６５】
この浮遊照明具５２にあって、フロート６０は、その収納空隙６１の内周面に、ソーラーパネル６２に接続された電気コード５５を配置するためのコード配置溝６３を備えている。このコード配置溝６３は、収納空隙６１の穴周端から、収納空隙６１に内嵌された照明基体１０の貫通孔１９と対向する位置まで連成されている。すなわち、電気コード５５は、コード配置溝６３に従って配置され、かつ貫通孔１９を通じて配されており、その一端がソーラーパネル６２の内側部分に接続され、他端が照明基体１０の支持基板１６に接続されているのである。
【００６６】
このようにソーラーパネル６２を配設した浮遊照明具５２を備えた水上照明装置５１にあっては、上述した外部電源を備えた構成のように、水中に電気コード配する必要がなく、この電気コードの損傷する等の問題を生じない。また、蓄電池を配設する構成では、比較的短期間で、定期的に蓄電池を交換しなければならないが、ソーラーパネル６２を配した構成では、その必要がなく、定期的なメンテナンスを実施すれば良い。従って、ランニングコストを抑制できるという利点もある。
【００６７】
この水上照明装置５１にあって、ソーラーパネル６２と電気コード５５とから、本発明にかかる電力供給手段が構成されている。尚、ソーラーパネル６２は、半導体の光起電力効果を利用して光エネルギーを電力エネルギーに変換するものであり、この電気エネルギーを取り出す出力端部に、上記した電気コード５５の他端が接続されている。この構成の水上照明装置５１にあって、上述した外部電源を配設した構成と同じ構成部位には、同じ符号を記し、その説明を省略している。
【００６８】
本発明は、上述した実施例に限定されるものではなく、本発明の要旨の範囲内で適宜用いることができる。例えば、本実施例では、透光板１３の板厚を５ｍｍとしたが、もっと厚いものを用いて、周囲へ放射される光量を多くすることもできる。
【図面の簡単な説明】
【００６９】
【図１】水上照明装置１を構成する浮遊照明具２の斜視図である。
【図２】浮遊照明具２の縦断面図である。
【図３】浮遊照明具２の分解図である。
【図４】水上照明装置１を水辺に浮かべた状態を表す説明図である。
【図５】水上照明装置１を複数連結して浮かべた状態を表す説明図である。
【図６】別例の水上照明装置５１を表す縦断面図である。
【符号の説明】
【００７０】
１  水上照明装置
３  繋鎖索条
５  電気コード（電力供給手段）
８  外部電源（電力供給手段）
１０  照明基体
１１  発光体
１２  装着基盤
１３  透光板
１４  押厚環板
１４ａ  被着面
２７  通水溝
３０  フロート
３１  収納空隙
【図１】
2007280686.tif 000003
【図２】
2007280686.tif 000004
【図３】
2007280686.tif 000005
【図４】
2007280686.tif 000006
【図５】
2007280686.tif 000007
【図６】
2007280686.tif 000008